(57)【要約】【課題】大面積の表示を簡単に表示できる表示装置、表示システム及び表示方法を提供する。【解決手段】実施形態によれば、像形成部と、駆動部と、を含む表示装置が提供される。前記像形成部は、複数の光出射部を含む。前記複数の光出射部は、蓄光層を含む表示部の表面に沿って移動可能であり、前記蓄光層が蓄光可能な光を出射する。前記駆動部は、前記複数の光出射部のそれぞれから出射する前記光の明るさを時間的に変化させて、前記表面に沿って前記複数の光出射部が移動したときに前記蓄光層に情報を表示させる。【選択図】図１
2014186063.tif 000002
【特許請求の範囲】
【請求項１】
蓄光層を含む表示部の表面に沿って移動可能な複数の光出射部であって、前記蓄光層が蓄光可能な光を出射する複数の光出射部を含む像形成部と、
前記複数の光出射部のそれぞれから出射する前記光の明るさを時間的に変化させて、前記表面に沿って前記複数の光出射部が移動したときに前記蓄光層に情報を表示させる駆動部と、
を備えた表示装置。
【請求項２】
前記複数の光出射部は、第１方向に沿って配設され、
前記像形成部は、前記第１方向に対して交差する第２方向に沿って、移動可能である請求項１記載の表示装置。
【請求項３】
前記表示させる前記情報は、文字情報を含む請求項１または２に記載の表示装置。
【請求項４】
前記像形成部を、使用者の身体、前記使用者の装備品、及び、移動体の少なくともいずれかに固定可能な固定部をさらに備えた請求項１〜３のいずれか１つに記載の表示装置。
【請求項５】
前記移動体は、遠隔操作可能な移動体である請求項４記載の表示装置。
【請求項６】
前記装備品は、移動可能な装備品である請求項４記載の表示装置。
【請求項７】
前記装備品は、ローラを有する請求項６記載の表示装置。
【請求項８】
前記装備品は、かかと側にのみ前記ローラを有する靴である請求項７記載の表示装置。
【請求項９】
前記複数の光出射部と、前記表面と、の間の相対的な位置の変化を検出する検出部をさらに備え、
前記駆動部は、前記検出部で検出した前記位置の変化に基づいて、前記光の強度、及び、前記光の明るさの時間的な前記変化の少なくともいずれかを変更する請求項１〜８のいずれか１つに記載の表示装置。
【請求項１０】
前記複数の光出射部のそれぞれは、光源と、前記光源から出射する光を導光する導光体と、を含む請求項１〜９のいずれか１つに記載の表示装置。
【請求項１１】
蓄光層を含む表示部と、
前記表示部の表面に沿って移動可能な複数の光出射部であって、前記蓄光層が蓄光可能な光を出射する複数の光出射部を含む像形成部と、
前記複数の光出射部のそれぞれから出射する前記光の明るさを時間的に変化させて、前記表面に沿って前記複数の光出射部が移動したときに前記蓄光層に情報を表示させる駆動部と、
を含む表示装置と、
を備えた表示システム。
【請求項１２】
前記複数の光出射部は、第１方向に沿って配設され、
前記像形成部は、前記第１方向に対して交差する第２方向に沿って、移動可能である請求項１１記載の表示システム。
【請求項１３】
前記表示させる前記情報は、文字情報を含む請求項１０または１１に記載の表示システム。
【請求項１４】
前記像形成部を、使用者の身体、前記使用者の装備品、及び、移動体の少なくともいずれかに固定可能な固定部をさらに備えた請求項１１〜１３のいずれか１つに記載の表示システム。
【請求項１５】
蓄光層を含む表示部の表面に沿って、前記蓄光層が蓄光可能な光を出射する複数の光出射部を移動させて、前記複数の光出射部のそれぞれから出射する前記光の明るさを時間的に変化させて、前記光により前記蓄光層に情報を表示させる表示方法。
【請求項１６】
前記複数の光出射部は、第１方向に沿って配設され、
前記複数の光出射部の前記移動の少なくとも一部の方向は、前記第１方向に対して交差する第２方向に沿う請求項１５記載の表示方法。
【請求項１７】
前記表示させる前記情報は、文字情報を含む請求項１５または１６に記載の表示方法。
【請求項１８】
前記複数の光出射部の前記移動は、前記複数の光出射部を、使用者の身体、前記使用者の装備品、及び、移動体の少なくともいずれかに固定して実施される請求項１５〜１７のいずれか１つに記載の表示方法。
【発明の詳細な説明】
【技術分野】
【０００１】
本発明の実施形態は、表示装置、表示システム及び表示方法に関する。
【背景技術】
【０００２】
イベント会場などにおいて、広告や告知などの情報を表示するために、例えば、大型スクリーンなどが用いられる。大面積の表示を簡単に行える表示装置が望まれる。
【先行技術文献】
【特許文献】
【０００３】
【特許文献１】特開２０００−１５５５４４号公報
【発明の概要】
【発明が解決しようとする課題】
【０００４】
本発明の実施形態は、大面積の表示を簡単に表示できる表示装置、表示システム及び表示方法を提供する。
【課題を解決するための手段】
【０００５】
本発明の実施形態によれば、像形成部と、駆動部と、を含む表示装置が提供される。前記像形成部は、複数の光出射部を含む。前記複数の光出射部は、蓄光層を含む表示部の表面に沿って移動可能であり、前記蓄光層が蓄光可能な光を出射する。前記駆動部は、前記複数の光出射部のそれぞれから出射する前記光の明るさを時間的に変化させて、前記表面に沿って前記複数の光出射部が移動したときに前記蓄光層に情報を表示させる。
【図面の簡単な説明】
【０００６】
【図１】図１（ａ）〜図１（ｃ）は、第１の実施形態に係る表示装置を例示する模式的斜視図である。
【図２】第１の実施形態に係る表示装置を例示するブロック図である。
【図３】第１の実施形態に係る表示装置を例示する模式的斜視図である。
【図４】図４（ａ）及び図４（ｂ）は、第１の実施形態に係る表示装置を例示する模式的断面図である。
【図５】図５（ａ）及び図５（ｂ）は、第１の実施形態に係る表示装置の動作を例示する模式図である。
【図６】図６（ａ）及び図６（ｂ）は、第１の実施形態に係る表示装置を例示する模式図である。
【図７】第１の実施形態に係る表示装置を例示する模式的斜視図である。
【図８】図８（ａ）及び図８（ｂ）は、第１の実施形態に係る表示装置による表示を例示する模式図である。
【図９】第１の実施形態に係る表示装置を例示する模式図である。
【図１０】第１の実施形態に係る表示装置を例示する模式的斜視図である。
【図１１】第１の実施形態に係る別の表示装置を例示する模式図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１（ａ）〜図１（ｃ）は、第１の実施形態に係る表示装置を例示する模式的斜視図である。  
図１（ａ）〜図１（ｃ）に表したように、本実施形態に係る表示装置１１０は、像形成部１０と、駆動部２０と、を含む。この例では、表示装置１１０は、筐体４０をさらに含む。この例では、像形成部１０及び駆動部２０は、筐体４０に固定される。
【０００９】
この例では、表示装置１１０は、固定部４１をさらに含む。固定部４１は、筐体４０（すなわち、像形成部１０）を、表示装置１１０の使用者の装備品２２０に固定可能である。この例では、装備品２２０は、靴である。固定部４１は、筐体４０から、脱着可能でもよい。固定部４１による表示装置１１０と装備品２２０との固定は、解除可能でも良い。
【００１０】
表示装置１１０は、例えば、表示部２１０（受光部）の上に配置されて使用される。表示部２１０は、例えば床である。後述するように、表示部２１０は、壁でも良い。表示部２１０は、表面２１０ａを有している。表示部２１０が、床である場合は、表面２１０ａは、床の表面に対応する。表示部２１０は、後述するように、蓄光層を含む。
【００１１】
以下では、説明を簡単にするために、表示部２１０の表面２１０ａが平面であるとする。  
表示部２１０の表面２１０ａに対して垂直な方向をＺ軸方向とする。Ｚ軸方向に対して垂直な１つの方向をＸ軸方向とする。Ｘ軸方向とＺ軸方向とに対して垂直な方向をＹ軸方向とする。本実施形態において、表示部２１０の表面２１０ａが曲面でも良い。この場合には、表面２１０ａのうちの一部に着目して、Ｚ軸方向、Ｘ軸方向及びＹ軸方向を定義することができる。
【００１２】
例えば、装備品２２０（靴）の底面には、ローラが設けられており、装備品２２０（靴）は、表示部２１０の表面２１０ａに沿って移動可能である。表示装置１１０の像形成部１０は、装備品２２０に固定されることで、像形成部１０も、表示部２１０の表面２１０ａに沿って移動可能である。この例では、装備品２２０（靴）は、Ｘ軸方向に沿って移動し、これに伴い、像形成部１０も、Ｘ軸方向に沿って移動する。
【００１３】
本実施形態において、移動方向は、直線的でも曲線的でも良い。移動方向が曲線的である場合は、移動は、短い複数の区間に分割できる。短い複数の区間に着目することで、移動方向は、実質的に直線と見なすことができる。以下では、説明を簡単にするために、移動が、Ｘ軸方向に沿った直線的な移動である場合として説明する。
【００１４】
像形成部１０から複数の光１５が出射する。複数の光１５は、表示部２１０に照射される。駆動部２０は、複数の光１５のそれぞれの明るさを時間的に変化させる。駆動部２０は、例えば、マイクロコンピュータと、マイクロコンピュータにより制御される電気回路と、を含むことができる。
【００１５】
図１（ａ）は、時間ｔが時刻ｔ０１であるときの状態を示している。図１（ｂ）は、時間ｔが、時刻ｔ０１よりも後の時刻ｔ０２であるときの状態を示している。図１（ｃ）は、時間ｔが、時刻ｔ０２よりも後の時刻ｔ０３であるときの状態を示している。
【００１６】
図１（ａ）に示したように、時刻ｔ０１において、所定のパターンの光１５が、表示部２１０に照射される。
【００１７】
図１（ｂ）に例示したように、装備品２２０（靴）は、時間の経過と共に、前進する。光１５のパターンは、時間の経過と共に変化する。この例では、「ＡＢ」の文字パターンが表示部２１０の蓄光層に照射されるように、光１５のパターンが変更される。これにより、装備品２２０（靴）の後方において、表示部２１０に「ＡＢ」の文字パターン（情報２４０）が表示される。
【００１８】
図１（ｃ）に例示したように、装備品２２０（靴）は、時間の経過と共に、さらに、前進する。これにより、装備品２２０（靴）の後方に、「Ｃ」の文字パターン（情報２４０）がさらに表示される。このように、表示させる情報は、文字情報を含むことができる。表示させる情報は、模様などの所望のパターンを含んでも良い。蓄光層に形成された文字パターンは減衰して一定時間後に消滅する。再び装備品２２０（靴）が光を照射しながら蓄光層を通過すると文字パターンが形成される。
【００１９】
図２は、第１の実施形態に係る表示装置を例示するブロック図である。  
図２に表したように、表示装置１１０において、像形成部１０及び駆動部２０に加え、バッテリ３１、通信部３２及び記憶部３３が設けられる。駆動部２０は、例えば制御部である。制御部として、例えば、マイクロコンピュータを用いても良い。像形成部１０、バッテリ３１、通信部３２及び記憶部３３は、駆動部２０に接続される。この例では、検出部３６がさらに設けられ、検出部３６も駆動部２０に接続されている。以下、像形成部１０、駆動部２０、バッテリ３１、通信部３２、記憶部３３及び検出部３２の例について説明する。
【００２０】
図３は、第１の実施形態に係る表示装置を例示する模式的斜視図である。  
図３に表したように、表示装置１１０において、像形成部１０は、複数の光出射部１１を含む。複数の光出射部１１は、表示部２１０の表面２１０ａに沿って移動可能である。この例では、光出射部１１の数は、８である。光出射部１１の数は、任意である。光出射部１１には、例えば、レーザまたはＬＥＤなどが用いられる。複数の光出射部１１のそれぞれから、光１５が出射される。光１５は、表示部２１０に含まれる蓄光層が蓄光可能な光である。光１５は、可視光を含んでも良く、紫外光を含んでも良い。光１５は、赤外光を含んでも良い。
【００２１】
駆動部２０は、上記のように、複数の光出射部１１のそれぞれから出射する光１５の明るさを時間的に変化させて、表示部２１０の表面２１０ａに沿って装備品２２０が移動したときに、像形成部１０により、光１５の明るさの時間的変化に応じた情報を蓄光層に表示させる。すなわち、駆動部２０は、表示部２１０の表面２１０ａに沿って複数の光出射部１１が移動したときに、光出射部１１から出射される光１５の明るさの時間的変化に応じた情報を蓄光層に表示させる。
【００２２】
この例では、表示装置１１０は、基板３５と、バッテリ３１と、通信部３２と、記憶部３３と、をさらに含む。バッテリ３１は、例えば、乾電池、または、蓄電池などである。基板３５及びバッテリ３１が筐体４０に固定される。複数の光出射部１１、駆動部２０、通信部３２及び記憶部３３は、基板３５に固定される。バッテリ３１は、駆動部２０及び光出射部１１で使用される電力を供給する。通信部３２は、表示装置１１０の外部との通信を行う。記憶部３３は、表示装置１１０での表示に用いられる情報を記憶する。筐体４０は、これらの部品を覆うカバー（図示しない）を含む。
【００２３】
検出部３６は、例えば、複数の光出射部１１と、表示部２１０の表面２１０ａと、の距離を検出する距離計測器である。距離の変化は、光出射部１１と表面２１０ａとの間の相対的な位置の変化の１つである。検出された距離に応じて、駆動部２０は、複数の光出射部１１から出射する光１５の強度を変更しても良い。これにより、光出射部１１と表面２１０ａとの距離にかかわらず文字パターンを鮮明に表示できる。
【００２４】
また、検出部３６は、複数の光出射部１１の、表面２１０ａに沿った、表面２１０ａとの相対的な移動速度を検出する速度計でも良い。移動速度は、光出射部１１と表面２１０ａとの間の相対的な位置の変化の１つである。後述するように、検出された移動速度に応じて、駆動部２０は、複数の光出射部１１の出射タイミングを変更しても良い。
【００２５】
例えば、複数の光出射部１１は、第１方向（例えば、Ｙ軸方向）に並ぶ。像形成部１０は、装備品２２０の移動に伴い第２方向（例えば、Ｘ軸方向）に沿って移動可能である。第２方向は、表示部２１０の表面２１０ａに沿い、第１方向に対して交差する方向である。図１（ａ）〜図１（ｃ）に示した例では、像形成部１０は、Ｘ軸方向に沿って移動する。像形成部１０が、複数の光出射部１１が並ぶ第１方向に対して交差する第２方向に沿って移動することで、像形成部１０の複数の光出射部１１からそれぞれ出射する光１５により、所望の像を表示できる。
【００２６】
図４（ａ）及び図４（ｂ）は、第１の実施形態に係る表示装置を例示する模式的断面図である。  
図４（ａ）に表したように、使用者２２５の装備品２２０に表示装置１１０が固定される。例えば、固定部４１により、像形成部１０が、使用者２２５の装備品２２０（靴）に固定される。固定部４１は、像形成部１０を、使用者２２５の身体２２６（例えば腿または足首など）に固定しても良い。これらの固定には、例えば、面ファスナー（パイルアンドフック）などを用いることができる。
【００２７】
この例では、装備品２２０である靴は、上面部２２１と、底面部２２２と、ローラ２２３と、を含む。上面部２２１は、使用者２２５の足を覆う部分である。底面部２２２は、足の下に配置される部分である。ローラ２２３は、底面部２２２に設けられ、ローラ２２３の一部は、底面部２２２の下方に露出している。このように、装備品２２０として、ローラシューズが用いられる。
【００２８】
ローラ２２３により、装備品２２０（靴）は、表示部２１０の表面２１０ａに沿って移動可能である。この例では、装備品２２０は、Ｘ軸方向に沿って移動可能である。装備品２２０に固定された像形成部１０もＸ軸方向に沿って移動可能である。
【００２９】
図４（ａ）に表したように、表示部２１０は、蓄光層２１１を含む。蓄光層２１１は、蓄光層２１１に照射される光を所定時間蓄える。蓄光層２１１は、蓄光層２１１に照射される光に応じて、光を発生する。蓄光層２１１は、例えば、硫化亜鉛及びアルミン酸化合物（例えばアルミン酸ストロンチウムなど）の少なくともいずれかを含む。例えば、蓄光層２１１は、蓄光性を有する粒子と、その粒子を覆うコート層と、を含むことができる。コート層には、例えば、ガラスまたは高分子樹脂が用いられる。蓄光層２１１に光１５が照射され、光１５により励起状態が生成され、蓄光層２１１から光が放出される。蓄光においては、照射された光（例えば光１５）に基づいて光が放出され、照射が終了した後にも光が放出される。照射が終了した後における光の放出の継続時間は、例えば、蓄光層２１１に用いられる材料に依存する。蓄光は、燐光を含む。蓄光層２１１が蓄光可能な光が蓄光層２１１に照射されたときに、蓄光層２１１において励起状態が生成され、蓄光層２１１からその光に基づく光が放出される。
【００３０】
この例では、表示部２１０は、蓄光層２１１と、上側プレート２１２と、下側プレート２１３と、を含む。蓄光層２１１は、上側プレート２１２と下側プレート２１３との間に配置される。上側プレート２１２は、光透過性である。上側プレート２１２には、例えば、ガラス板、アクリル板またはエポキシ板などが用いられる。上側プレート２１２の厚さは、例えば、１ｍｍ以上１０ｍｍ以下である。下側プレート２１３は、光透過性でも、光遮光性もで、光反射性でも、光吸収性でも良い。下側プレート２１３には、例えば、各種の樹脂が用いられる。下側プレート２１３の厚さは、例えば、０．５ｍｍ以上５ｍｍ以下である。上側プレート２１２及び下側プレート２１３は、蓄光層２１１を保護する。この例では、上側プレート２１２の上面が、表示部２１０の表面２１０ａとなる。
【００３１】
図４（ａ）は、第１時刻ｔ０１の状態を例示している。図４（ｂ）は、第２時刻ｔ０２の状態を例示している。第２時刻ｔ０２は、第１時刻ｔ０１の後の時刻である。
【００３２】
図４（ａ）に例示したように、第１時刻ｔ０１において、複数の光出射部１１から光１５が出射する。この光１５は、第１パターン１５ａを有する。光１５は、蓄光層２１１のうちの第１位置ｐ１に照射される。第１位置ｐ１において、第１パターン１５ａの光１５が蓄光される。
【００３３】
図４（ｂ）に例示したように、第２時刻ｔ０２において、複数の光出射部１１から光１５が出射する。この光１５は、第２パターン１５ｂを有する。光１５は、蓄光層２１１のうちの第２位置ｐ２に照射される。第２位置ｐ２において、第２パターン１５ｂの光１５が蓄光される。
【００３４】
第１パターン１５ａ及び第２パターン１５ｂは、複数の光出射部１１のそれぞれから出射する光１５の明るさの時間的な変化に対応する。この時間的な変化は、駆動部２０による複数の光出射部１１の駆動により行われる。
【００３５】
第１位置ｐ１における第１パターン１５ａの蓄光と、第２位置ｐ２における第２パターン１５ｂの蓄光により、蓄光層２１１において、Ｘ−Ｙ平面内において、光の強度分布が形成される。この光の強度分布が表示情報となる。
【００３６】
図５（ａ）及び図５（ｂ）は、第１の実施形態に係る表示装置の動作を例示する模式図である。  
図５（ａ）に表したように、この例では、複数の光出射部１１として、第１〜第８光出射素子１１ａ〜１１ｈが設けられる。そして、この例では、１つの文字を、８×８のドットで表示する。例えば、第１〜第８光出射素子１１ａ〜１１ｈのそれぞれを、１つの文字の縦の８つのドットのそれぞれに対応させる。
【００３７】
以下、「Ｂ」の文字を表示する場合の複数の光出射部１１の動作の例について説明する。  
図５（ｂ）に表したように、第１時刻ｔ１においては、第１〜第８光出射素子１１ａ〜１１ｈをオフ状態とする。オフ状態では、光１５が出射されない。または、オフ状態における光１５の強度は、オン状態における光１５の強度よりも低い。
【００３８】
第１時刻ｔ１の後の第２時刻ｔ２においては、第１〜第７光出射素子１１ａ〜１１ｇをオン状態にし、第８光出射素子１１ｈをオフ状態とする。
【００３９】
第２時刻ｔ２の後の第３〜第６時刻ｔ３〜ｔ６においては、第１光出射素子１１ａ、第４光出射素子１１ｄ及び第７光出射素子１１ｇをオン状態にし、第２光出射素子１１ｂ、第３光出射素子１１ｃ、第５光出射素子１１ｅ、第６光出射素子１１ｆ及び第８光出射素子１１ｈをオフ状態とする。
【００４０】
第６時刻ｔ６の後の第７時刻ｔ７においては、第１光出射素子１１ａ、第４光出射素子１１ｄ、第７光出射素子１１ｇ及び第８光出射素子１１ｈをオフ状態にし、第２光出射素子１１ｂ、第３光出射素子１１ｃ、第５光出射素子１１ｅ及び第６光出射素子１１ｆをオン状態とする。
【００４１】
第７時刻ｔ７の後の第８時刻ｔ８においては、第１〜第８光出射素子１１ａ〜１１ｈをオフ状態とする。
【００４２】
上記の動作により、蓄光層２１１内のＸ軸方向に沿って並ぶ第１〜第８位置に、第１〜第８時刻ｔ１〜ｔ８におけるそれぞれの光１５のパターンが照射される。これにより、Ｘ−Ｙ平面内のそれぞれの位置に、照射された光１５に応じた光が蓄光され、蓄光された光により、「Ｂ」の文字が表示される。
【００４３】
複数の光出射部１１から出射する光１５のパターンの時間的な変化を変更することで、所望の文字またはグラフィックパターンを含む情報を表示できる。表示部２１０の表面２１０ａに沿った複数の光出射部１１の移動の軌跡に沿って、情報が表示される。
【００４４】
図６（ａ）及び図６（ｂ）は、第１の実施形態に係る表示装置を例示する模式図である。  
この例では、表示装置１１０は、使用者２２５の装備品２２０である靴に固定されている。靴の底面部２２２のかかと部に、ローラ２２３が設けられている。ローラ２２３は、靴のつま先部には設けられていない。
【００４５】
図６（ａ）に示した状態においては、ローラ２２３と、つま先部の底面部２２２と、が、表示部２１０の表面２１０ａに接している。図６（ｂ）に表したように、つま先部を上方に上げて移動すると、ローラ２２３が回転して、靴は、表面２１０ａに沿って滑らかに移動できる。
【００４６】
図６（ｂ）に表したように、装備品２２０のつま先を上げると、光出射部１１が表面２１０ａに近づくので、出射光の拡散が抑えられて、鮮明な文字パターンを形成できる。図６（ａ）に表したように、使用者２２５がローラ２２３による移動をしないときは、装備品２２０のつま先が下がり、光出射部１１が表面２１０ａから遠ざかる。従って、光出射部１１と表面２０１ａとの接触を回避でき、光出射部１１の傷や摩耗が抑制できる。
【００４７】
図７は、第１の実施形態に係る表示装置を例示する模式的斜視図である。  
図７は、表示装置１１０の使用状態を例示している。  
図７に表したように、表示装置１１０は、使用者２２５が装着している靴（装備品２２０）に取り付けられている。靴の底面部２２２には、ローラ２２３が設けられており、靴は、表示部２１０の表面２１０ａを滑らかに移動できる。表示装置１１０から出射する光１５が、表示部２１０内の蓄光層２１１に照射され、光１５が蓄光層２１１で蓄光され、所望の文字を含む情報が表示できる。複数の光出射部１１の軌跡に沿って、情報が所定時間表示される。
【００４８】
図８（ａ）及び図８（ｂ）は、第１の実施形態に係る表示装置による表示を例示する模式図である。  
図８（ａ）に表したように、アルファベットと数字とからなる文字を含む情報が表示できる。図８（ｂ）に表したように、像形成部１０の光出射と装備品２２０の曲線的移動とにより、任意の形状のパターンを含む情報が表示できる。なお、図８（ａ）では、アルファベット及び数字で文字が形成される例が示されているが、色々な言語、数字、記号などの組み合わせにより文字等を形成しても良い。  
本実施形態によれば、新規な方法で情報を提示する表示装置が提供できる。
【００４９】
図９は、第１の実施形態に係る表示装置を例示する模式図である。  
図９に表したように、本実施形態では、像形成部１０は、移動体２３０に取り付けられている。移動体２３０は、遠隔操作可能である。この例では、移動体２３０は、無線または有線の方式により、操作が可能である。例えば、移動体２３０として、ラジオコントロールカーが用いられる。この例では、移動体２３０の進行方向の後方側部に表示装置１１０が取り付けられる。
【００５０】
移動体２３０が、表示部２１０の表面２１０ａを移動する。これにより、複数の光出射部１１から出射する光１５により、所望の表示が蓄光層２１１に所定時間表示される。
【００５１】
図１０は、第１の実施形態に係る表示装置を例示する模式的斜視図である。  
図１０は、表示装置１１０の別の使用状態を例示している。  
図１０に表したように、表示装置１１０は、移動体２３０（ラジオコントロールカー）の進行方向の後方側部に取り付けられている。移動体２３０は、表示部２１０の表面２１０ａを滑らかに移動できる。この場合も、表示装置１１０から出射する光１５が、表示部２１０内の蓄光層２１１に照射され、光１５が蓄光層２１１で蓄光され、所望の文字を含む情報が表示できる。
【００５２】
本実施形態において、表示部２１０は、床でなく、壁でも良い。例えば、移動体２３０が壁に沿って移動できる場合、表示部２１０として、壁や窓などを用いることができる。さらに、表示部２１０として天井を用いても良い。表示部２１０の表面２１０ａと、重力の方向と、の関係は任意である。
【００５３】
表示装置１１０において、例えば、複数の光出射部１１の、表面２１０ａに対する、表面２１０ａに沿った移動速度が検出される場合、検出された移動速度に応じて、複数の光出射部１１から出射する光１５の時間的な変化の速度を変更しても良い。これにより、移動速度にかかわらず、所望の表示状態が維持し易くなる。移動速度を検出する検出部３６は、例えば、ローラの回転速度を計測する回転速度計であり、ローラ軸近傍に取り付けられている。検出部３６で検出された、複数の光出射部１１と、表面２１０ａと、の間の相対的な位置の変化に基づいて、駆動部２０は、光１５の強度、及び、光１５の明るさの時間的な変化の少なくともいずれかを変更しても良い。
【００５４】
また、使用者２２５が検出部３６の起動・停止を選択できるスイッチを設けることで、所望の表示状態を維持したり、意図的に表示状態に変化をつけたりすることができる。
【００５５】
表示装置１１０において、複数の光出射部１１を含む像形成部１０と、駆動部２０と、は分離されて設けられても良い。像形成部１０が第１の筐体に設けられ、駆動部２０が第２の筐体に設けられても良い。像形成部１０と駆動部２０との接続は、有線または無線の任意の方法により行うことができる。
【００５６】
表示装置１１０で表示する情報は、例えば、記憶部３３に予め記憶されていても良い。予め表示情報を記憶した記憶媒体（例えば、ＵＳＢメモリ）を筐体４０に着脱自在に設けても良い。任意のインターフェースを介して、表示装置１１０の外部に設けられる記憶部から、表示する情報が表示装置１１０に提供されても良い。表示装置１１０で表示する情報は、例えば、通信部３２を介して、供給されても良い。通信部３２には、例えば、任意の無線方式が採用できる。
【００５７】
例えば、表示装置１１０に操作端末を接続することができる。操作端末から、例えば、無線で、情報（文字や絵）を表示装置１１０の通信部３２に送信する。
【００５８】
通信部３２で受け取った情報が、例えば、記憶部３３に記憶したパターン（テキストや絵）に変換される。変換された情報（電気信号）が駆動部２０に供給される。駆動部２０から供給される電気信号に基づいて、複数の光出射部１１からから光１５が出射する。
【００５９】
図１１は、第１の実施形態に係る別の表示装置を例示する模式図である。  
この例では、像形成部１０は、例えば、複数の光源５１と、複数の導光体５２と、を含む。すなわち、複数の光出射部１１のそれぞれは、光源５１と、導光体５２と、を含む。複数の導光体５２のそれぞれは、複数の光源５１から出射する光のそれぞれを導光する。導光体５２には、例えば光ファイバを用いることができる。導光体５２の一端５２ａが光源５１に対向する。導光体５２の他端５２ｂが、光出射部１１の光出射端に対応する。この例では、導光体５２の他端５２ｂが、導光体固定部５３により、使用者２２５の装備品２２０（靴）に固定される。一方、この例では、固定部４１により、筐体４０が使用者２２５の脚部に固定されている。
【００６０】
導光体５２を用いることで、表示装置１１０の設計の自由度が拡大する。例えば、駆動部２０と光源５１とを筐体４０に格納し、光源５１に接続された導光体５２の端部（他端５２ｂ）が、例えば、装備品２２０（靴）、移動体（ラジオコントロールカー）、または、使用者２２５の身体２２６（足首、手、指）に固定されても良い。
【００６１】
複数の導光体５２が可撓性を有する場合、表示装置１１０の移動に伴って、複数の導光体５２の端部どうしの相対的な位置が変化しても良い。すなわち、複数の光出射部１１どうしの相対的な位置が変化しても良い。これにより、表示装置１１０の移動に伴う振動などにより、複数の光出射部１１どうしの相対的な位置が変化し、移動及び振動を反映した模様を表示することもできる。
【００６２】
本実施形態に係る表示装置１１０は、ミュージカルや舞台の演出に使用できる。表示装置１１０は、テーマパークの演出に使用できる。表示装置１１０は、イベントや販売プロモーションでの演出に使用できる。表示装置１１０による表示は、例えば、広告を含むことができる。実施形態によれば、より魅力的な、遊び、パフォーマンスまたはインスタレーションが提供できる。
【００６３】
本実施形態にかかる表示装置１１０は、固定部４１により、装備品２２０や移動体２３０の下面以外の側部などに取り付けられているため、使用者２２５は簡単に像形成部１０を装備品２２０や移動体２３０に着脱できる。
【００６４】
さらに、導光体５２により表示部２１０への光１５の誘導が容易となり、表示装置１１０の取り付け位置の自由度が増す。
【００６５】
本実施形態においては、大型の電子機器を用いなくても、表示部２１０を大面積にすることで、大面積の表示が可能である。表示部２１０において電力を用いなくても表示が可能である。表示部２１０の設置は簡単である。
【００６６】
（第２の実施形態）
本実施形態は、表示システムに係る。本表示システムは、第１の実施形態に関して説明した表示装置１１０及びその変形の表示装置のいずれかと、表示部２１０と、を含む。すなわち、図４（ａ）及び図４（ｂ）に例示したように、本表示システムは、蓄光層２１１を含む表示部２１０を含む。表示装置１１０は、像形成部１０と、駆動部２０と、を含む。像形成部１０は、複数の光出射部１１を含む。複数の光出射部１１は、表示部２１０の表面２１０ａに沿って移動可能であり、蓄光層２１１が蓄光可能な光１５を出射する。駆動部２０は、複数の光出射部１１のそれぞれから出射する光１５の明るさを時間的に変化させて、表面２１０ａに沿って像形成部１０が移動したときに蓄光層２１１に情報を表示させる。
【００６７】
本実施形態に係る表示システムによれば、大面積の表示が容易で、消費電力が少なく、設置が簡単な表示システムが提供できる。
【００６８】
（第３の実施形態）  
本実施形態は、表示方法に係る。  
本表示方法においては、蓄光層２１１を含む表示部２１０の表面２１０ａに沿って、蓄光層２１１が蓄光可能な光１５を出射する複数の光出射部１１を移動させる。そして、複数の光出射部１１のそれぞれから出射する光１５の明るさを時間的に変化させて、光１５により蓄光層２１１に情報を表示させる。
【００６９】
本実施形態に係る表示方法によれば、少ない消費電力で、大面積の表示を簡単に行うことができる。
【００７０】
本表示方法において、例えば、複数の光出射部１１は、第１方向に沿って配設され、複数の光出射部１１の移動の少なくとも一部の方向は、第１方向に対して交差する第２方向に沿う。本表示方法において、表示させる情報は、例えば、文字情報を含む。複数の光出射部１１の移動は、複数の光出射部１１を、使用者２２５の身体２２６、使用者２２５の装備品２２０、及び、移動体２３０の少なくともいずれかに固定して実施しても良い。
【００７１】
実施形態によれば、大面積の表示を簡単に表示できる表示装置、表示システム及び表示方法が提供できる。
【００７２】
なお、本願明細書において、「垂直」及び「平行」は、厳密な垂直及び厳密な平行だけではなく、ばらつきなどを含むものであり、実質的に垂直及び実質的に平行であれば良い。
【００７３】
以上、具体例を参照しつつ、本発明の実施の形態について説明した。しかし、本発明は、これらの具体例に限定されるものではない。例えば、表示装置に含まれる像形成部、光出射部、駆動部、バッテリ、通信部、記憶部、基板、検出部、光源及び導光体、並びに、表示部に含まれる蓄光層、上側プレート及び下側プレート、並びに、装備品、移動体などの各要素の具体的な構成に関しては、当業者が公知の範囲から適宜選択することにより本発明を同様に実施し、同様の効果を得ることができる限り、本発明の範囲に包含される。
【００７４】
また、各具体例のいずれか２つ以上の要素を技術的に可能な範囲で組み合わせたものも、本発明の要旨を包含する限り本発明の範囲に含まれる。
【００７５】
その他、本発明の実施の形態として上述した表示装置を基にして、当業者が適宜設計変更して実施し得る全ての表示装置も、本発明の要旨を包含する限り、本発明の範囲に属する。
【００７６】
その他、本発明の思想の範疇において、当業者であれば、各種の変更例及び修正例に想到し得るものであり、それら変更例及び修正例についても本発明の範囲に属するものと了解される。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１０…像形成部、  １１…光出射部、  １１ａ〜１１ｈ…第１〜第８光出射素子、  １５…光、  １５ａ…第１パターン、  １５ｂ…第２パターン、  ２０…駆動部、  ３１…バッテリ、  ３２…通信部、  ３３…記憶部、  ３５…基板、  ３６…検出部、  ４０…筐体、  ４１…固定部、  ５１…光源、  ５２…導光体、  ５２ａ…一端、  ５２ｂ…他端、  ５３…導光体固定部、  １１０…表示装置、  ２１０…表示部、  ２１０ａ…表面、  ２１１…蓄光層、  ２１２…上側プレート、  ２１３…下側プレート、  ２２０…装備品、  ２２１…上面部、  ２２２…底面部、  ２２３…ローラ、  ２２５…使用者、  ２２６…身体、  ２３０…移動体、  ２４０…情報、  ｐ１…第１位置、  ｐ２…第２位置、  ｔ０１〜ｔ０３…時刻、  ｔ１〜ｔ８…第１〜第８時刻
【図１】
2014186063.tif 000003
【図２】
2014186063.tif 000004
【図３】
2014186063.tif 000005
【図４】
2014186063.tif 000006
【図５】
2014186063.tif 000007
【図６】
2014186063.tif 000008
【図８】
2014186063.tif 000009
【図９】
2014186063.tif 000010
【図１１】
2014186063.tif 000011
【図７】
2014186063.tif 000012
【図１０】
2014186063.tif 000013